(57)【要約】【課題】止水パネルに水圧が作用する以前でも、この止水パネルをドア枠等の開口枠に安定して配置することができるようになる止水装置を提供すること。【解決手段】ドア枠２は、内側の出入口が開口部となっている開口枠であり、止水パネル２０には、ドア枠２に当接する防水シール部材２１が取り付けられ、この止水パネル２０によって出入口の少なくとも一部が塞がれることにより水が室外側から室内側に流入することが防止される。止水パネル２０には、この止水パネル２０をドア枠２に固定するための固定手段４０が設けられ、この固定手段４０は、例えば、ドア枠２を形成するために互いに対向する位置に配置されている側枠部材５，６に当接して押圧する一対の押圧部材２７を備えており、これらの押圧部材２７が側枠部材５，６を押圧することにより、止水パネル２０はドア枠２に固定される。【選択図】図８
2019105085.tif 000002
【特許請求の範囲】
【請求項１】
内側が開口部となっている開口枠に当接する防水シール部材が取り付けられている止水パネルを有し、この止水パネルによって前記開口部の少なくとも一部が塞がれることにより水が室外側から室内側に流入することを防止する止水装置において、
前記止水パネルを前記開口枠に固定するための固定手段を備えていることを特徴とする止水装置。
【請求項２】
請求項１に記載の止水装置において、前記固定手段は、前記開口枠を形成するために互いに対向する位置に配置された２個の枠部材に前記止水パネルを固定するための手段となっていることを特徴とする止水装置。
【請求項３】
請求項２に記載の止水装置において、前記固定手段は、前記開口枠の内側から前記２個の枠部材に向かって進退自在となっている少なくとも２個の進退部材を含んで構成され、これらの進退部材は前記止水パネルに配置されていることを特徴とする止水装置。
【請求項４】
請求項３に記載の止水装置において、前記２個の進退部材の先端部のそれぞれには、これらの進退部材が前進することにより前記２個の枠部材に当接して押圧する押圧部材が設けられ、これらの前記押圧部材が前記２個の枠部材を前記開口枠の内側から押圧することにより前記止水パネルが前記開口枠に固定されることを特徴とする止水装置。
【請求項５】
請求項３に記載の止水装置において、前記２個の進退部材の先端部のそれぞれは、これらの進退部材が前進することにより前記２個の枠部材の内部に挿入する挿入部となっており、これらの挿入部が前記２個の枠部材の内部に前記開口枠の内側から挿入することにより前記止水パネルが前記開口枠に固定されることを特徴とする止水装置。
【請求項６】
請求項３〜５のいずれかに記載の止水装置において、前記止水パネルには回転部材が配置されており、前記２個の進退部材はこの回転部材に連結機構を介して連結され、この連結機構は、前記回転部材が一方の方向に回転したときに前記２個の進退部材を前記２個の枠部材に向かって前進させる方向に移動させ、前記回転部材が前記一方の方向とは逆の他方の方向に回転したときに前記２個の進退部材を前記２個の枠部材から後退させる方向に移動させるための右ねじ機構と左ねじ機構とを含んで構成されていることを特徴とする止水装置。
【請求項７】
請求項１〜６のいずれかに記載の止水装置において、前記開口枠の内側の前記開口部は出入口であり、前記止水パネルは、この開口枠の下端部からこの開口枠の高さの途中までの上下寸法を有していることを特徴とする止水装置。
【請求項８】
請求項１〜７のいずれかに記載の止水装置において、前記開口枠は下枠部材を含んで形成されており、前記止水パネルは前記下枠部材の上に載せられることにより自立することを特徴とする止水装置。
【発明の詳細な説明】
【技術分野】
【０００１】
本発明は、大雨時や洪水発生時等において、例えば、開き戸装置のドア枠の出入口等の開口部から水が室内に流入することを防止するための止水装置に係り、開き戸装置や引き戸装置等の開口枠に適用できるものである。
【背景技術】
【０００２】
大雨時や洪水発生時等において、開き戸により開閉される出入口から水が室内に流入することを防止するための止水装置が下記の特許文献１に示されている。この止水装置は、出入口が内側に形成された開口枠となっているドア枠に、開き戸よりも高さ寸法が小さい止水パネルを立て掛けることにより、出入口の下側の部分を止水パネルによって塞ぐとともに、この止水パネルに取り付けられている防水シール部材をドア枠の左右の側枠部材と下枠部材のそれぞれの戸当り部に当接させ、開き戸が開いているときの水圧によって防水シール部材をこれらの戸当り部に押圧させることにより、水が室外側から室内側へ流入することを阻止するものである。
【先行技術文献】
【特許文献】
【０００３】
【特許文献１】特開２０１４−２１８７９４号公報
【発明の概要】
【発明が解決しようとする課題】
【０００４】
この止水装置では、ドア枠に止水パネルを配置することは、ドア枠に止水パネルを立て掛けることにより行われるようになっており、このため、止水パネルに水圧が作用する以前では、ドア枠に止水パネルを安定して配置しておくことは難しい。
【０００５】
本発明の目的は、止水パネルに水圧が作用する以前でも、この止水パネルをドア枠等の開口枠に安定して配置することができるようになる止水装置を提供するところにある。
【課題を解決するための手段】
【０００６】
本発明に係る止水装置は、内側が開口部となっている開口枠に当接する防水シール部材が取り付けられている止水パネルを有し、この止水パネルによって前記開口部の少なくとも一部が塞がれることにより水が室外側から室内側に流入することを防止する止水装置において、前記止水パネルを前記開口枠に固定するための固定手段を備えていることを特徴とするものである。
【０００７】
この止水装置は、開口部の少なくとも一部を塞ぐ止水パネルを開口枠に固定するための固定手段を備えているため、止水パネルに水圧が作用する以前でも、固定手段により止水パネルを開口枠に安定して配置しておくことができ、これにより、止水パネルの倒れ等が生ずることを防止できる。
【０００８】
固定手段は、止水パネルを開口枠に固定することができるものであれば、任意のものでよく、例えば、開口枠と接触する止水パネルの周縁部を開口枠に止着したり、クランプしたりするものでよく、あるいは、開口枠を形成するために互いに対向する位置に配置されている２個の枠部材に止水パネルを固定するものでもよい。
【０００９】
固定手段を、開口枠を形成するために互いに対向する位置に配置されている２個の枠部材に止水パネルを固定するものとする場合には、この固定手段を、開口枠の内側から２個の枠部材に向かって進退自在となっている少なくとも２個の進退部材を含んで構成し、これらの進退部材を止水パネルに配置してもよい。
【００１０】
そして、この場合における一例として、２個の進退部材の先端部のそれぞれに、これらの進退部材が前進することによって２個の枠部材に当接して押圧する押圧部材を設け、これらの押圧部材が２個の枠部材を開口枠の内側から押圧することにより、止水パネルが開口枠に固定されるようにしてもよい。
【００１１】
また、他の例として、２個の進退部材の先端部のそれぞれを、これらの進退部材が前進することにより２個の枠部材の内部に挿入される挿入部とし、これらの挿入部が２個の枠部材の内部に開口枠の内側から挿入することにより、止水パネルが開口枠に固定されるようにしてもよい。
【００１２】
以上のように、止水パネルを開口枠に固定するための固定手段を、開口枠の内側から２個の枠部材に向かって進退自在となっている少なくとも２個の進退部材を含んで構成する場合においては、これらの進退部材を、開口枠の内側から２個の枠部材に向かって進退自在とする構造は、例えば、それぞれの進退部材に操作部を設け、これらの操作部による押し操作や引き操作により、２個の進退部材を２個の枠部材に向かって進退させることができるものでもよく、あるいは、止水パネルに回転部材を配置し、２個の進退部材をこの回転部材に連結機構を介して連結し、この連結機構を、回転部材が一方の方向に回転したときには、２個の進退部材を２個の枠部材に向かって前進させる方向に移動させることができ、回転部材が前記一方の方向とは逆の他方の方向に回転したときには、２個の進退部材を２個の枠部材から後退させる方向に移動させることができる右ねじ機構と左ねじ機構とを含んで構成されているものとしてもよい。
【００１３】
後者の固定手段によると、回転部材の回転により、２個の進退部材を２個の枠部材に対して同時に移動させることができるとともに、２個の枠部材に対する２個の進退部材の前進、後退を、回転部材の回転方向によって選択できることになる。
【００１４】
なお、この固定手段における回転部材の回転は、手動操作によって行われるものでもよく、あるいは、電動モータ等による駆動源からの駆動力によって行われるものでもよい。
【００１５】
また、以上の本発明において、止水パネルは、開口枠の内側の開口部の全体を塞ぐものでもよく、あるいは、この開口部が出入口である場合には、止水パネルを、この開口枠の下端部からこの開口枠の高さの途中までの上下寸法を有するものとし、止水パネルにより塞がれる開口部の範囲を、この開口部の下側の部分だけとしてもよい。
【００１６】
後者によると、止水パネルにより開口部の下側の部分が塞がれているときでも、止水パネルの上を跨ぐことにより、出入口を通過することができる。
【００１７】
また、本発明において、止水パネルは、前述した固定手段により開口枠に固定される以前では、開口枠に立て掛けられることによりこの開口枠に配置されるものでもよく、あるいは、開口枠が下枠部材を含んで形成されている場合には、止水パネルは、この下枠部材の上に載せられることによって自立するものでもよい。
【００１８】
後者によると、止水パネルを、固定手段により開口枠に固定される以前でも、下枠部材の上で自立させておくことができるため、この止水パネルを固定手段により開口枠に固定するための作業を容易に行える。
【００１９】
以上説明した本発明に係る止水装置は、任意の開口枠に適用することができ、この開口枠は、開き戸装置の開き戸により内側の出入口が開閉されるドア枠でもよく、あるいは、引き戸装置の引き戸により内側の出入口が開閉される開口枠でもよく、あるいは、常時通過可能となっている開口部が内側に設けられている通行用開口枠でもよい。また、本発明に係る止水装置は、窓枠のように、内側の開口部が通行用とはなっていない開口枠にも適用することができる。
【発明の効果】
【００２０】
本発明によると、止水パネルに水圧が作用する以前でも、この止水パネルをドア枠等の開口枠に安定して配置できるようになるという効果を得られる。
【図面の簡単な説明】
【００２１】
【図１】図１は、本発明の一実施形態に係る止水装置が適用される開き戸装置を示す正面図である。
【図２】図２は、図１の開き戸装置の開き戸を開いたときを示す正面図である。
【図３】図３は、図２のときに止水装置の止水パネルを固定手段によりドア枠に固定して配置した状態を示す正面図である。
【図４】図４は、止水パネルの全体を室外側から見た斜視図である。
【図５】図５は、止水パネルを室内側から見た背面図である。
【図６】図６は、止水パネルに設けられている固定手段の構造を示す平面図で、止水パネルを二点鎖線で示した図である。
【図７】図７は、図３のＳ７−Ｓ７線断面図である。
【図８】図８は、図３のＳ８−Ｓ８線断面図である。
【図９】図９は、別実施形態の固定手段を示す図５と同様の図である。
【図１０】図１０は、図９の実施形態における図８と同様の図である。
【発明を実施するための形態】
【００２２】
以下に本発明を実施するための形態を図面に基づいて説明する。図１には、本発明の一実施形態に係る止水装置が適用される開き戸装置の全体が示されている。この開き戸装置は、開き戸１をドア枠２にヒンジ３により開閉自在に取り付けたものであり、図２には、開き戸１を開けたときの状態が示されている。ドア枠２は、本実施形態における開口枠であり、ドア枠２の内側は、室外と室内との間を連通させるために貫通した開口部となっている出入口４である。
【００２３】
ドア枠２は、図１及び図２に示されているように、左右の側枠部材５，６と、上下の上枠部材７、下枠部材８とからなる四方枠であり、図２に示されているように、これらの枠部材５，６，７，８には、閉じたときの開き戸１が当接する戸当り部５Ａ，６Ａ，７Ａ，８Ａが設けられ、また、この開き戸１との間の気密性を確保するための気密部材９，１０，１１，１２も枠部材５，６，７，８に設けられている。なお、戸当り部５Ａ，６Ａ，７Ａ，８Ａと気密部材９，１０，１１，１２のうち、左右の側枠部材５，６と下枠部材８に設けられている戸当り部５Ａ，６Ａ，８Ａ及び気密部材９，１０，１２は、後述する図７と図８にも示されている。
【００２４】
図３には、開き戸１を開いているときに、出入口４の下側の部分を本実施形態の止水パネル２０により塞いでいる状態が示されている。この止水パネル２０は、左右方向の幅寸法が、ドア枠２を形成するために互いに対向する位置に配置された左右の側枠部材５，６の間隔と対応する寸法となっていて、上下の高さ寸法が開き戸１の高さ寸法よりも小さくて、ドア枠２の下端部からこのドア枠２の高さの途中までの寸法となっているものである。
【００２５】
図４には、止水パネル２０を室外側から見た斜視図が示されている。厚さ方向が室内外方向となっているこの止水パネル２０は、金属板又は硬質の合成樹脂板等で形成された表面部材の内部に補強部材や充填材等の部材を収納することにより形成されており、室外側の表面２０Ａと室内側の表面２０Ｂは、互いに平行となった鉛直面となっている。また、止水パネル２０の厚さ寸法は、左右方向と上下方向の両方について一定ではなく、左右の両端部には、左右の中央部よりも厚さ寸法が小さい薄厚部２０Ｃが設けられ、下端部には、上端部よりも厚さ寸法が小さい薄厚部２０Ｄが設けられている。このため、止水パネル２０は、左右の両端部と下端部とに薄厚部２０Ｃ，２０Ｄが形成されている段付き状のパネルとなっている。
【００２６】
また、開き戸１が開けられているときにドア枠２に配置されるこの止水パネル２０には、ドア枠２の構成部材となっている左右の側枠部材５，６と下枠部材８の戸当り部５Ａ，６Ａ，８Ａに当接する防水シール部材２１が取り付けられており、この防水シール部材２１は、止水パネル２０の左右両端部の薄厚部２０Ｃにおける室内側の面に固定されている左右両側の防水シール部２１Ａと、下端部の薄厚部２０Ｄにおける室内側の面に固定されている防水シール部２１Ｂとからなる。
【００２７】
図５には、止水パネル２０を室内側から見た背面図が示されている。止水パネル２０の室内側の表面２０Ｂの左右中央部には窓孔２２が形成されており、この窓孔２２と一致する箇所において、止水パネル２０の内部には、止水パネル２０をドア枠２に固定するための固定手段４０の一部を構成している回転部材２３が収納配置されている。左右方向が軸方向となっているこの回転部材２３は、図６に示されているように、左右両方向へ延びる一対の雌ねじ筒部２３Ａを有し、これらの雌ねじ筒部２３Ａに左右一対の雄ねじ部材２４の雄ねじ軸部２４Ａが螺入している。これらの雄ねじ部材２４には、止水パネル２０の内部において、止水パネル２０の室外側の表面２０Ａに近い箇所に配置されている左右一対の進退部材２５が結合部材２６により結合されており、棒状の部材となっているこれらの進退部材２５における左右方向外側の先端部２５Ａは、止水パネル２０の前述した左右両端部の薄厚部２０Ｃの端面から突出しており、これらの先端部２５Ａに押圧部材２７が取り付けられている。
【００２８】
以上のように結合部材２６で結合されている雄ねじ部材２４と進退部材２５は、止水パネル２０の内部に２個ずつ配置されている支持部材２８，２９により左右方向に移動自在に支持されており、左右方向に離れているこれらの支持部材２８，２９のうち、一方の支持部材２８には、雄ねじ部材２４に左右方向の長さを有して形成されている溝２４Ｂに挿入された突起部２８Ａが設けられている。このため、それぞれの雄ねじ部材２４は、回転が阻止されて左右方向に移動自在となっている。また、回転部材２３の左右一対の雌ねじ筒部２３Ａのうち、一方の雌ねじ筒部２３Ａは、内周面に右ねじによる雌ねじ３０が形成されたものであり、他方の雌ねじ筒部２３Ａは、内周面に左ねじによる雌ねじ３１が形成されたものである。また、左右一対の雄ねじ部材２４の雄ねじ軸部２４Ａのうち、右ねじによる雌ねじ３０に螺入している一方の雄ねじ軸部２４Ａは、外周面に右ねじによる雄ねじ３２が形成されたものであり、左ねじによる雌ねじ３１に螺入している他方の雄ねじ軸部２４Ａは、外周面に左ねじによる雄ねじ３３が形成されたものである。
【００２９】
このため、回転部材２３を、正逆回転方向のうち、一方の方向に回転させるための操作を手又は工具により行うと、この回転は、左右一対の雄ねじ部材２４の左右方向外側への移動に変換されるため、左右一対の進退部材２５も左右方向外側へ移動し、この移動方向は、止水パネル２０が、図３に示されているように、ドア枠２に配置されているときでは、ドア枠２を形成するために左右方向に互いに対向する位置に配置されている左右の側枠部材５，６に向かって左右一対の進退部材２５と押圧部材２７がドア枠２の内側から前進する方向である。また、回転部材２３を、正逆回転方向のうち、他方の方向に回転させるための操作を手又は工具により行うと、この回転は、左右一対の雄ねじ部材２４の左右方向内側への移動に変換されるため、左右一対の進退部材２５も左右方向内側へ移動し、この移動方向は、止水パネル２０がドア枠２に配置されているときでは、左右一対の進退部材２５と押圧部材２７が左右の側枠部材５，６から後退する方向である。
【００３０】
したがって、本実施形態では、左右一対の進退部材２５は、止水パネル２０に配置されている回転部材２３に雄ねじ部材２４や進退部材２５等による連結機構３４を介して連結されていることになり、この連結機構３４は、右ねじによる雌ねじ３０及び雄ねじ３２によって形成されている右ねじ機構３５と、左ねじによる雌ねじ３１及び雄ねじ３３によって形成されている左ねじ機構３６とを含んで構成されたものとなっている。
【００３１】
そして、回転部材２３や、左右一対の進退部材２５、連結機構３４等により、本実施形態に係る前述した固定手段４０が構成されており、この固定手段４０は、図５に示されているように、止水パネル２０に上下方向に複数個、図５では２個設けられている。
【００３２】
大雨時や洪水発生時等において、ドア枠２から開き戸１を開き、図３に示されているように止水パネル２０をドア枠２に配置する際には、予め回転部材２３を上述した他方の方向へ回転操作することにより、左右一対の進退部材２５及びこれらの進退部材２５の先端部２５Ａに設けられている左右一対の押圧部材２７を後退させておく。この後に、止水パネル２０を持ち上げることにより、図３のＳ７−Ｓ７線断面図である図７に示されているように、止水パネル２０をドア枠２の下側を形成している下枠部材８の上に載せ、これにより、止水パネル２０を下枠部材８の上で自立させる。次いで、回転部材２３を上述した一方の方向へ回転操作し、これにより、左右一対の進退部材２５及び押圧部材２７を左右の側枠部材５，６に向かって前進させ、これにより、図３のＳ８−Ｓ８線断面図である図８に示されているように、それぞれの押圧部材２７をこれらの側枠部材５，６にドア枠２の内側から当接させて押圧させる。このように一対の押圧部材２７が側枠部材５，６をドア枠２の内側から押圧すると、止水パネル２０は、これらの押圧部材２７が構成部材となって構成されている固定手段４０により、ドア枠２に固定されることになる。
【００３３】
このように止水パネル２０を固定手段４０により固定したときには、図７及び図８に示されているように、止水パネル２０に取り付けられている防水シール部材２１は、ドア枠２の左右の側枠部材５，６と下枠部材８とに設けられている戸当り部５Ａ，６Ａ，８Ａに室外側から当接している。このため、大雨や洪水等による水の水圧が止水パネル２０の室外側の表面２０Ａに作用することにより、防水シール部材２１の防水シール作用のために、水がドア枠２の内側の出入口４を通過して室外側から室内側に流入することを阻止できる。なお、側枠部材５，６と下枠部材８における戸当り部５Ａ，６Ａ，８Ａが設けられている箇所は、図７及び図８から分かるように、一対の押圧部材２７が当接している左右の側枠部材５，６の面５Ｂ，６Ｂ、及び止水パネル２０の前述した薄厚部２０Ｄの下端面が当接している下枠部材８の面８Ｂよりも室内側の位置において、これらの面５Ｂ，６Ｂ，８Ｂからドア枠２の内側へ突出した箇所となっている。
【００３４】
以上説明したように、本実施形態に係る止水装置の止水パネル２０は、この止水パネル２０をドア枠２に固定するための固定手段４０を備えたものとなっており、この固定手段４０により止水パネル２０をドア枠２に固定して配置することにより、止水パネル２０が室外側に倒れることを防止できるため、止水パネル２０の室外側の表面２０Ａに水圧が作用する以前でも、止水パネル２０をドア枠２に安定して設置することができる。
【００３５】
また、止水パネル２０は、ドア枠２の下枠部材８の上に載せられるものとなっているため、止水パネル２０をドア枠２に固定手段４０で固定する以前でも、止水パネル２０を下枠部材８の上で自立させることができ、このため、固定手段４０による止水パネル２０のドア枠２への固定作業を容易に行える。
【００３６】
さらに、図３で示されているように、止水パネル２０は、ドア枠２の下端部を形成している下枠部材８からドア枠２の高さの途中までの上下寸法を有し、ドア枠２の内側に形成されている出入口４の下側の部分だけが止水パネル２０により塞がれるため、人は室外と室内との間を、止水パネル２０の上を跨ぐことにより移動することができる。
【００３７】
図９には、別実施形態に係る固定手段４０’が示されている。この固定手段４０’は、前記実施形態の固定手段４０と比較して、押圧部材２７が左右一対の進退部材２５の先端部に設けられていないものとなっている。そして、図１０に示されているように、ドア枠２の左右の側枠部材５，６には、フランジ部付きの付属部材３７が水密状態で取り付けられ、これらの付属部材３７には、前進した進退部材２５の先端部２５Ｂが内部空間３７Ｂに挿入される筒状部３７Ａが設けられ、内部空間３７Ｂの先端部３７Ｃが閉じられているこの筒状部３７Ａは、側枠部材５，６の内部に配置されている。
【００３８】
このため、この実施形態の固定手段４０’では、前進させた一対の進退部材２５の先端部２５Ｂを付属部材３７の筒状部３７Ａの内部空間３７Ｂに挿入させることにより、これらの先端部２５Ｂが、ドア枠２の内側から側枠部材５，６の内部に挿入される挿入部となり、これにより、止水パネル２０はドア枠２に固定される。止水パネル２０をドア枠２に固定するための固定手段は、このような手段であってもよい。
【００３９】
なお、図９及び図１０の実施形態において、付属部材３７の筒状部３７Ａの内部空間３７Ｂの先端部を開口した端部としてよく、このようにする場合には、一対の進退部材２５の先端部２５Ｂに防水性と弾力性を有するキャップ部材を被せることにより、これらの先端部２５Ｂを筒状部３７Ａの内部空間３７Ｂに挿入したときに、先端部２５Ｂと筒状部３７Ａとの間で防水性を確保できるようにしてもよい。
【産業上の利用可能性】
【００４０】
本発明は、大雨時や洪水発生時等に、例えば、開き戸装置のドア枠等の開口枠の内側に形成されている開口部から水が室内に流入することを防止するために利用することができる。
【符号の説明】
【００４１】
１  開き戸
２  開口枠であるドア枠
４  開口部である出入口
５，６  ドア枠を形成するために互いに対向する位置に配置された側枠部材
２０  止水パネル
２１  防水シール部材
２３  回転部材
２５  進退部材
２５Ａ  先端部
２５Ｂ  挿入部となっている先端部
２７  押圧部材
３４  連結機構
３５  右ねじ機構
３６  左ねじ機構
４０，４０’  固定手段
【図１】
2019105085.tif 000003
【図２】
2019105085.tif 000004
【図３】
2019105085.tif 000005
【図４】
2019105085.tif 000006
【図５】
2019105085.tif 000007
【図６】
2019105085.tif 000008
【図７】
2019105085.tif 000009
【図８】
2019105085.tif 000010
【図９】
2019105085.tif 000011
【図１０】
2019105085.tif 000012